(57)【要約】【課題】優れた消臭性能を有する吸収性物品を提供する。【解決手段】吸収体４と、吸収体４の肌側に配されたトップシート２と、吸収体４の外側に配されたバックシート３とを有する吸収性物品１であって、バックシート３は、透湿性フィルム３Ａの外側に半合成セルロース繊維から形成された不織布３Ｂが積層されている。半合成セルロース繊維はアセテート繊維であることが好ましい。【選択図】図２
2018068911.tif 000002
【特許請求の範囲】
【請求項１】
吸収体と、前記吸収体の肌側に配されたトップシートと、前記吸収体の外側に配されたバックシートとを有する吸収性物品であって、
前記バックシートは、透湿性フィルムの外側に半合成セルロース繊維から形成された不織布が積層されていることを特徴とする吸収性物品。
【請求項２】
前記半合成セルロース繊維はアセテート繊維である請求項１に記載の吸収性物品。
【請求項３】
前記不織布に消臭剤が含まれている請求項１または２に記載の吸収性物品。
【請求項４】
前記半合成セルロース繊維には、消臭剤として、タンニンおよびカテキンよりなる群から選ばれる少なくとも１種が付着している請求項１〜３のいずれか一項に記載の吸収性物品。
【発明の詳細な説明】
【技術分野】
【０００１】
本発明は、使い捨ておむつ、尿パッド（失禁パッドを含む）、生理用ナプキン等の吸収性物品に関するものである。
【背景技術】
【０００２】
使い捨ておむつ、尿パッド、生理用ナプキン等の吸収性物品は、身体から排泄される体液を吸収するために用いられる。このような吸収性物品では、吸収性物品が吸収した体液に由来して臭気が発生し、外に漏れ出す場合がある。そのため、消臭機能を有する吸収性物品が様々提案されている。例えば特許文献１には、活性炭を含有する消臭シートを備えた吸収性物品が開示され、特許文献２には、多孔性消臭剤を配置した吸収性物品が開示されている。
【先行技術文献】
【特許文献】
【０００３】
【特許文献１】特開２０１５−０７０９９５号公報
【特許文献２】特開２００７−０９７９５３号公報
【発明の概要】
【発明が解決しようとする課題】
【０００４】
上記のように、従来、消臭機能を有する吸収性物品が様々提案されており、消臭性能に優れた吸収性物品が求められている。本発明は前記事情に鑑みてなされたものであり、その目的は、優れた消臭性能を有する吸収性物品を提供することにある。
【課題を解決するための手段】
【０００５】
前記課題を解決することができた本発明の吸収性物品とは、吸収体と、吸収体の肌側に配されたトップシートと、吸収体の外側に配されたバックシートとを有する吸収性物品であって、バックシートは、透湿性フィルムの外側に半合成セルロース繊維から形成された不織布が積層されているところに特徴を有する。
【０００６】
本発明の吸収性物品は、上記のように構成されたバックシートを備えているため、バックシートの透湿性が高まり、吸収性物品内の水分を速やかに外に放出することができる。そのため、吸収性物品内での菌の繁殖や尿等の腐敗を抑え、臭気の発生を抑えることができる。また、透湿性フィルムの外側に半合成セルロース繊維から形成された不織布を設けることにより、透湿性フィルムを臭気分子が通過しても、臭気分子が半合成セルロース繊維によって捕捉され、臭気の漏れ出しを低減することができる。
【０００７】
臭気低減効果を高める点から、バックシートの不織布を構成する半合成セルロース繊維はアセテート繊維であることが好ましく、また不織布には消臭剤が含まれていることが好ましい。さらに、半合成セルロース繊維には、消臭剤として、タンニンおよびカテキンよりなる群から選ばれる少なくとも１種が付着していることが好ましい。
【発明の効果】
【０００８】
本発明の吸収性物品は、透湿性フィルムの外側に半合成セルロース繊維から形成された不織布が積層されたバックシートを備えているため、バックシートの透湿性が高まり、吸収性物品内での菌の繁殖や尿等の腐敗を抑え、臭気の発生を抑えることができる。また、透湿性フィルムの外側に半合成セルロース繊維から形成された不織布を設けることにより、透湿性フィルムを臭気分子が通過しても、臭気分子が半合成セルロース繊維によって捕捉され、臭気の漏れ出しを低減することができる。そのため、本発明の吸収性物品は消臭性能に優れたものとなる。
【図面の簡単な説明】
【０００９】
【図１】本発明の吸収性物品の一例として、テープタイプの使い捨ておむつをトップシート側から見た平面図を表す。
【図２】図１に示した吸収性物品のＡ−Ａ断面図を表す。
【発明を実施するための形態】
【００１０】
本発明の吸収性物品は、トップシートとバックシートとこれらの間に設けられた吸収体を有する。本発明の吸収性物品は、使い捨ておむつ、尿パッド（失禁パッドを含む）、生理用ナプキン等に適用できる。
【００１１】
吸収性物品は、前後方向と幅方向とを有する。前後方向とは、吸収性物品を着用者が着用した際、着用者の股間の前後方向に延びる方向を意味する。幅方向とは、吸収性物品と同一面上にあり前後方向と直交する方向を意味し、吸収性物品を着用した際の着用者の左右方向に相当する。また、前後方向と幅方向から形成される面に対して垂直方向を厚み方向とする。さらに、吸収性物品を着用者が着用した際に、着用者に肌に向かう側を肌側とし、その反対側を外側とする。
【００１２】
吸収性物品の形状は特に限定されない。吸収性物品が、尿パッド、生理用ナプキンである場合、吸収性物品の形状としては、略長方形、長円形、砂時計形、ひょうたん形等が示される。尿パッドが男性用に特化したものである場合は、吸収性物品の形状は略円形であってもよい。
【００１３】
吸収性物品が使い捨ておむつである場合、使い捨ておむつは、例えば、前側部と後側部とこれらの間に位置し吸収体が備えられた股部とから構成される。使い捨ておむつは、例えば、前側部と後側部とこれらの間に位置する股部とを有するパンツ部材の股部に、トップシートとバックシートの間に吸収体が配された積層体が備えられて構成される。使い捨ておむつはまた、トップシートとバックシートの間に吸収体が配された積層体が、前側部と後側部とこれらの間に位置する股部とを有するパンツ形状に形成されていてもよい。なお、前側部は、使い捨ておむつを着用の際に着用者の腹側に当てる部分に相当し、後側部は、使い捨ておむつを着用の際に着用者の背側に当てる部分に相当する。股部は、前側部と後側部との間に位置し、着用者の股間に当てる部分に相当する。
【００１４】
使い捨ておむつは、後側部の左右側端に止着部材が設けられ、当該止着部材により着用時にパンツ形状に形成するオープンタイプ（テープタイプ）の使い捨ておむつであったり、前側部と後側部とが接合されることによりウェスト開口部と一対の脚開口部とが形成されたパンツタイプの使い捨ておむつであってもよい。
【００１５】
トップシートは吸収体の肌側に配されるシートであり、吸収性物品の着用の際に着用者の肌に面するように設けられる。トップシートは、液透過性であることが好ましい。トップシートとしては、例えば、セルロース、レーヨン、コットン等の親水性繊維から形成された不織布や；ポリオレフィン（例えば、ポリプロピレン、ポリエチレン）、ポリエステル（例えば、ＰＥＴ）、ポリアミド（例えば、ナイロン）等の疎水性繊維から形成された不織布であって、疎水性繊維の表面が界面活性剤により親水化されたもの等を用いることができる。また、トップシートとして、織布、編布、有孔プラスチックフィルム等を用いてもよい。
【００１６】
バックシートは吸収体の外側に配されるシートであり、吸収性物品の着用の際に着用者とは反対側に位置するように設けられる。バックシートは、好ましくは吸収性物品の外側面の少なくとも一部を構成するように設けられる。バックシートは、液不透過性であることが好ましい。バックシートとしては、ポリオレフィン（例えば、ポリプロピレン、ポリエチレン）、ポリエステル（例えば、ＰＥＴ）、ポリアミド（例えば、ナイロン）等の疎水性繊維から形成された不織布や、プラスチックフィルム等を用いることができるが、後述するように、本発明ではバックシートとして、不織布とフィルムとの積層体を用いる。
【００１７】
トップシートやバックシートを構成する不織布としては、スパンボンド不織布、ポイントボンド不織布、エアスルー不織布、メルトブロー不織布、エアレイド不織布、スパンレース不織布、トウ開繊不織布、ＳＭＳ不織布等を用いることができる。
【００１８】
吸収体は、尿等の排泄物を吸収できる吸収性材料を含むものであれば特に限定されない。吸収体としては、例えば、吸収性材料を所定形状に成形した成形体を用いたり、あるいは当該成形体を紙シート（例えば、ティッシュペーパーや薄葉紙）や液透過性不織布シート等の被覆シートで覆ったものを用いることができる。吸収性材料としては、例えば、パルプ繊維等の親水性繊維や、ポリアクリル酸系、ポリアスパラギン酸系、セルロース系、デンプン・アクリロニトリル系等の吸水性樹脂等が挙げられる。また、吸水性材料には、ポリエチレン、ポリプロピレン等のポリオレフィン繊維や、ＰＥＴ等のポリエステル繊維、ポリアミド繊維等の熱融着性繊維が含まれてもよい。これらの熱融着性繊維は、尿等との親和性を高めるために、界面活性剤等により親水化処理がされていてもよい。
【００１９】
吸収性材料は、尿等の吸収速度を高める点から、親水性繊維を含むことが好ましい。また、吸収容量を高める点からは、吸収性材料は吸水性樹脂を含むことが好ましい。従って、吸収体は親水性繊維（特にパルプ繊維）と吸水性樹脂を含むことが好ましい。この場合、例えば、親水性繊維の集合体に吸水性樹脂を混合または散布したものを用いることが好ましい。
【００２０】
吸収体は、シート状吸収体であってもよい。シート状吸収体としては、不織布間に吸水性樹脂を有しパルプ繊維を有しないように形成されたものが挙げられる。このように形成されたシート状吸収体は、不織布間に吸水性樹脂を有するため、高い吸収容量を実現できる。また、シート状吸収体は不織布間にパルプ繊維を有しないため、嵩張らず薄型に形成することができる。
【００２１】
シート状吸収体は、吸収性材料として吸水性繊維を用いてもよい。この場合もまた、シート状吸収体は嵩張らず薄型に形成される。吸水性繊維としては、プロトン化または塩形成したカルボキシル基を含有する繊維が挙げられる。例えば、アクリル繊維を加水分解して、アクリル繊維に含まれるニトリル基をカルボキシル基に変換することにより、吸水性繊維を得ることができる。このとき、吸水性繊維に含まれるカルボキシル基は、アルカリ金属塩またはアンモニア塩を形成していることが好ましい。また吸水性繊維は、親水性繊維をアクリル酸に浸漬し、繊維表面でアクリル酸を析出させることにより製造することができる。
【００２２】
吸収体の形状（平面形状）は特に限定されない。吸収体の形状は、用途に応じて適宜決定すればよく、例えば、略長方形、砂時計形、ひょうたん形、羽子板形、略円形等が挙げられる。
【００２３】
吸収性物品の肌側面には、幅方向の両側に立ち上がりフラップが設けられていてもよい。立ち上がりフラップを設けることにより、尿等の横漏れが防止される。立ち上がりフラップは、例えば、トップシートの幅方向の両側に、前後方向に延在するサイドシートを接合し、サイドシートの幅方向内方部分に弾性部材を設けることにより形成される。このようにサイドシートと弾性部材を設けることにより、弾性部材の収縮力によりサイドシートの幅方向内方が着用者の肌に向かって立ち上がり、立ち上がりフラップが形成される。立ち上がりフラップまたはサイドシートは、液不透過性のプラスチックフィルムや液不透過性の不織布等により構成されることが好ましい。
【００２４】
バックシートの構成について詳しく説明する。バックシートは、透湿性フィルムの外側に半合成セルロース繊維から形成された不織布が積層されて構成されている。このようにバックシートを構成することにより、バックシートの透湿性が高まり、吸収性物品内の水分を速やかに外に放出することができる。そのため、吸収性物品内での菌の繁殖や尿等の腐敗を抑え、臭気の発生を抑えることができる。また、吸収性物品を着用した際に、着用者の股間での蒸れを低減することができる。さらに、透湿性フィルムの外側に半合成セルロース繊維から形成された不織布を設けることにより、透湿性フィルムを臭気分子が通過しても、臭気分子が半合成セルロース繊維によって捕捉され、臭気の漏れ出しを低減することができる。なお、本明細書において、「透湿性フィルム」を「フィルム層」と称し、「半合成セルロース繊維から形成された不織布」を「不織布層」と称する場合がある。
【００２５】
透湿性フィルムとしては、プラスチックフィルムを用いればよく、例えば、ポリオレフィン（例えば、ポリプロピレン、ポリエチレン）、ポリエステル（例えば、ＰＥＴ）、ポリアミド（例えば、ナイロン）、ポリウレタン、ポリ乳酸等から形成されたフィルムを用いることができる。
【００２６】
透湿性フィルムの透湿度は、ＪＩＳ  Ｚ  ２０８０（防湿包装材料の透湿度試験方法（カップ法））に基づき定められる透湿度が３０００ｇ／ｍ2・２４ｈｒ以上であることが好ましく、３７００ｇ／ｍ2・２４ｈｒ以上がより好ましく、４４００ｇ／ｍ2・２４ｈｒ以上がさらに好ましい。このような透湿度を有するフィルムを用いることにより、バックシートの透湿性を高めることができる。一方、前記透湿度の上限は特に限定されないが、バックシートからの尿等の漏れを防止する観点から、前記透湿度は７０００ｇ／ｍ2・２４ｈｒ以下が好ましく、６３００ｇ／ｍ2・２４ｈｒ以下がより好ましく、また５６００ｇ／ｍ2・２４ｈｒ以下がさらに好ましい。なお透湿度試験は、温度４０±０．５℃、相対湿度９０±２％の温湿度条件で行うものとする。
【００２７】
不織布層は、少なくとも半合成セルロース繊維から形成されていればよい。半合成セルロース繊維は、セルロースを化学的に処理して変性させて得られる繊維であり、代表的にはアセテート繊維が知られている。アセテート繊維は、セルロース繊維の有する水酸基の一部（具体的には、セルロースの無水グルコースの繰り返し単位に含まれる３個の水酸基の一部）が酢酸エステル化されたものであるが、半合成セルロース繊維は、このようにセルロース繊維の水酸基の一部が置換されたものを用いることが好ましい。このようなセルロース繊維の水酸基の置換基としては、アセチル基、アクリロイル基、メタクリロイル基、ベンゾイル基、ナフトイル基等の炭素数２〜１２のアシル基や、メチル基、エチル基、プロピル基等の炭素数１〜１２のアルキル基などが挙げられる。本出願人が様々な繊維材料の消臭効果について調べたところ、半合成セルロース繊維を用いた場合に、ポリエチレンやポリプロピレンのポリオレフィン繊維やＰＥＴ繊維あるいはパルプ繊維を用いた場合と比べて、尿由来の臭気を効果的に低減できることが分かった。すなわち、半合成セルロース繊維から形成された不織布をフィルム層の外側に設けることにより、フィルム層を通過した臭気分子が当該不織布によって捕捉され、臭気の漏れ出しを低減することができる。また、半合成セルロース繊維から形成された不織布をフィルム層の内側ではなく外側に設けることにより、フィルム層を通過した臭気分子のみが当該不織布によって捕捉され、消臭効果を長持ちさせることができる。さらに、半合成セルロース繊維は、パルプ等の天然セルロース繊維と比べて親水性が低減されているため、フィルム層を通過した湿気が不織布層で留まらずに、吸収性物品の外に放出されやすくなる。
【００２８】
半合成セルロース繊維としては、アセテート繊維を用いることが好ましい。アセテート繊維から形成した不織布を用いることにより、透湿性フィルムを通過した臭気分子を効果的に捕捉することができる。アセテート繊維には、セルロースジアセテート繊維とセルローストリアセテート繊維の２種類が広く用いられているが、このうちセルロースジアセテート繊維を用いることがより好ましい。セルロースジアセテートは、セルロースの無水グルコースの繰り返し単位に含まれる３個の水酸基のうち、平均で２．１個〜２．７個の水酸基がアセチル化されていること、すなわち置換度が２．１〜２．７であることが好ましい。
【００２９】
半合成セルロース繊維は、繊維形成容易性の点から、複合繊維のような断面に複数成分が存在する繊維でなく、断面が単一成分からなることが好ましい。
【００３０】
不織布層は、半合成セルロース繊維以外の繊維を含んでいてもよい。例えば、不織布層の成形性を高めるために熱融着性繊維を含ませたり、あるいは不織布層の親疎水性を調節するために、任意の他の繊維を含ませてもよい。なお不織布層は、消臭効果を高める点から、半合成セルロース繊維の含有率が３０質量％以上であることが好ましく、５０質量％以上がより好ましく、７０質量％以上がさらに好ましく、９０質量％以上がさらにより好ましく、９５質量％以上が特に好ましい。不織布層は、半合成セルロース繊維のみから構成されるものであってもよい。不織布層中の半合成セルロース繊維の含有率は、不織布層を構成する全繊維１００質量％に対する割合を意味する。
【００３１】
不織布層は、例えば、トウ開繊不織布から構成されることが好ましい。トウ開繊不織布は長繊維の束（トウ）を開繊することにより形成することができるが、不織布層をトウ開繊繊維から形成することにより、繊維の脱落が起こりにくく、耐久性を高めることができる。また、不織布層を嵩高く形成して、臭気分子の捕捉能力を高めることができる。
【００３２】
不織布層がトウ開繊繊維から形成される場合、トウ開繊繊維どうしの一部が互いに固着されていることが好ましく、これにより、不織布層の保形性を高めることができる。繊維どうしの固着は、接着剤により繊維どうしを接着したり、加熱によって繊維の表面を溶融させて繊維どうしを融着したり、薬剤（可塑剤）によって繊維の表面を溶かして繊維どうしを溶着することにより行うことができる。これらの中でも、繊維どうしを固着した際に繊維間隙が広く確保されるようにする点から、繊維どうしを溶着することが好ましい。繊維どうしを溶着すれば、繊維どうしがそれらの接触点のみで固着されやすくなる。繊維表面を溶かす薬剤（可塑剤）としては、繊維に対する良溶媒を用いればよく、アセテート繊維を用いる場合などはトリアセチン等を用いることが好ましい。
【００３３】
不織布層は、エアスルー不織布から構成されることも好ましい。この場合、不織布層は、半合成セルロース繊維と熱融着性繊維から構成されることが好ましく、例えば、半合成セルロース繊維の短繊維と熱融着性繊維とを含む繊維集合体を熱風処理することにより、半合成セルロース繊維と熱融着性繊維とから形成されたエアスルー不織布を得ることができる。この場合もまた、不織布層を嵩高く形成して、臭気分子の捕捉能力を高めることができる。
【００３４】
フィルム層と不織布層は接着剤により互いに接合されていることが好ましく、これにより、例えばフィルム層と不織布層とを熱接着する場合と比べて、フィルム層の破断強度を確保しやすくなる。また、フィルム層の熱硬化を防止して、バックシートの柔軟性を確保することができる。この場合、フィルム層と不織布層は線状に塗工された接着剤により互いに接合されていることが好ましい。接着剤の塗工パターンとしては、例えば、直線状、蛇行線状、スパイラル状が挙げられる。フィルム層と不織布層がこのように接合されていれば、バックシートの透湿性を高めやすくなる。
【００３５】
フィルム層と不織布層は、少なくとも吸収体と重なるように設けられることが好ましい。より好ましくは、フィルム層と不織布層は、吸収体の全体と重なるように設けられる。
【００３６】
不織布層には消臭剤が含まれていてもよい。消臭剤としては、活性炭、ゼオライト、モレキュラーシーブ等の多孔質物質；タンニン、カテキン等のポリフェノール類；銀イオン、銅イオン等の金属イオン；シクロデキストリン等の包接化合物などが挙げられる。これらの消臭剤は、不織布層を構成する繊維に付着していてもよく、繊維間隙に保持されていてもよい。
【００３７】
なかでも、消臭剤としては、タンニンおよびカテキンよりなる群から選ばれる少なくとも１種を用いることが好ましく、このような消臭剤を用いることにより、半合成セルロール繊維との相乗作用によって消臭効果をより高めることができる。タンニンやカテキンは半合成セルロース繊維に付着していることが好ましく、これによりタンニンまたはカテキンと半合成セルロース繊維とが協働して臭気分子を安定して包接固定できるようになる。タンニンとしては縮合型タンニンを用いることが特に好ましく、縮合型タンニンとしては、例えば、柿渋タンニン、ケイヒタンニン、ダイオウタンニン、ミモザタンニン、ケブラチョタンニン等が挙げられる。
【００３８】
次に、本発明の吸収性物品の構成例について、図面を参照して説明する。図面では、吸収性物品としてテープタイプの使い捨ておむつが示されている。なお本発明は、図面に示された実施態様に限定されるものではない。
【００３９】
図１および図２には、本発明の吸収性物品の一例を示した。図１は、吸収性物品としてテープタイプの使い捨ておむつを肌面側から見た平面図を表し、図２は、図１に示した吸収性物品のＡ−Ａ断面図を表す。本願の図では、矢印ｘが幅方向、矢印ｙが前後方向を表し、矢印ｘ，ｙにより形成される面に対して垂直方向が厚み方向ｚを表す。なお図１では、図面の上側が吸収性物品の前側に相当し、図面の下側が吸収性物品の後側に相当する。
【００４０】
吸収性物品１は、トップシート２とバックシート３とこれらの間に設けられた吸収体４とを有する。トップシート２は吸収体４の肌側に配され、バックシート３は吸収体４の外側に配されている。トップシート２を透過した排泄物は、吸収体４により収容される。バックシート３は排泄物が外へ漏れるのを防いでいる。図面では、吸収体４は砂時計形に形成されている。
【００４１】
バックシート３は、図２に示すように、フィルム層３Ａと、フィルム層３Ａの外側に積層された不織布層３Ｂとから構成されている。フィルム層３Ａは透湿性フィルムから構成され、不織布層３Ｂは半合成セルロース繊維から形成された不織布から構成されている。このようにバックシート３を構成することにより、バックシート３の透湿性が高まり、吸収性物品１内の水分を速やかに外に放出することができる。そのため、吸収性物品１内での菌の繁殖や尿等の腐敗を抑え、臭気の発生を抑えることができる。また、フィルム層３Ａの外側に半合成セルロース繊維から形成された不織布層３Ｂを設けることにより、フィルム層３Ａを臭気分子が通過しても、臭気分子が半合成セルロース繊維によって捕捉され、臭気の漏れ出しを低減することができる。なお、不織布層３Ｂを構成する半合成セルロース繊維はアセテート繊維であることが好ましく、また不織布層３Ｂには消臭剤が含まれていることが好ましい。
【００４２】
トップシート２の幅方向ｘの両側には、前後方向ｙに延在する液不透過性のサイドシート５が接合されている。サイドシート５は、トップシート２と接合部８で接合され、接合部８よりも幅方向ｘの内方部分がトップシート２から起立可能に形成され、接合部８よりも幅方向ｘの外方部分がバックシート３に積層されている。サイドシート５の幅方向ｘの内方部分が起立することにより立ち上がりフラップ６が形成され、これにより尿等の幅方向ｘの横漏れを防止することができる。なお、サイドシート５の幅方向ｘの内方部分がトップシート２から起立可能に形成されるために、サイドシート５には、接合部８よりも幅方向ｘの内方部分に前後方向ｙに延びる起立用弾性部材７が設けられることが好ましい。
【００４３】
吸収性物品１の前後方向ｙの後側部には、左右側端部にファスニングテープ１１が取り付けられている。ファスニングテープ１１は基材シート１２に留め具１３が設けられて構成されている。吸収性物品１は、着用者の股間に当てて、ファスニングテープ１１の留め具１３を吸収性物品１の前側部の外側面（図１ではターゲットテープ１４）に接合することで、装着することができる。留め具１３としては、フック・ループ・ファスナーのフック部材や粘着剤を採用することができる。
【００４４】
吸収性物品１の幅方向ｘの両側には、前後方向ｙに延びる脚用弾性部材９が設けられている。脚用弾性部材９により、着用者の脚周りにギャザーを形成して脚周りのフィット性を高めたり、横漏れを防止することができる。
【００４５】
吸収性物品１の前後方向ｙの端部には、幅方向ｘに延びるウェスト弾性部材１０が設けられている。ウェスト弾性部材１０により着用者の腰周りに沿ったウェストギャザーが形成され、腹部や背部からの尿等の漏れが防止される。
【実施例】
【００４６】
以下に、実施例を示すことにより本発明を更に詳細に説明するが、本発明の範囲はこれらに限定されるものではない。
【００４７】
開繊パルプ繊維と高吸水性樹脂を混合した吸収体にアセテート繊維から形成した不織布を積層して、吸収性複合体を作製した。開繊パルプ繊維とアセテート繊維の質量比は約６：１であった。この吸収性複合体に混合尿（複数人の尿の混合物）を、吸収性複合体１ｇ当たり約１．８ｍＬ加え、これをジッパーバッグに入れて密封し、３時間静置した。３時間後にジッパーバッグ内の臭いをかいで、臭気確認試験を行った。
【００４８】
臭気確認試験は、次の評価基準に基づき、５人の評価者が臭気強度を判定し、その平均値を判定結果とした。０：無臭、１：やっと感知できるにおい、２：何のにおいかがわかる弱いにおい、３：楽に感知できるにおい、４：強いにおい、５：強烈なにおい。
【００４９】
また、吸収体に積層する不織布として、アセテート繊維の代わりに、同量のパルプ繊維、コットン繊維、レーヨンとＰＥＴの複合繊維、またはポリプロピレン（ＰＰ）とポリエチレン（ＰＥ）の複合繊維から形成した不織布を用いた試験も行った。
【００５０】
臭気確認試験の結果、アセテート繊維を用いた場合は、３時間後の臭気強度は１．６であったのに対し、その他の繊維では臭気強度は３．０〜４．０の範囲であった。アセテート繊維を用いることにより、尿由来の臭気を効果的に低減できることが分かった。
【００５１】
さらに、アセテート繊維から形成した不織布に、タンニンとして、リリース科学社製のＰａｎｃｉｌ（登録商標）ＦＧ−２２（カキタンニン溶液）を不織布１ｇ当たり０．４４ｇ散布し、これを開繊パルプ繊維と高吸水性樹脂を混合した吸収体に積層して吸収性複合体を作製し、上記と同じようにして臭気確認試験を行った。その結果、３時間後の臭気強度は０．０と判定された。
【符号の説明】
【００５２】
１：吸収性物品
２：トップシート
３：バックシート、３Ａ：フィルム層、３Ｂ：不織布層
４：吸収体
６：立ち上がりフラップ
１１：ファスニングテープ
１４：ターゲットテープ
【図１】
2018068911.tif 000003
【図２】
2018068911.tif 000004